(57)【要約】【課題】高齢者や身体障害者等の被介護者または幼児や子供の飲食時の際に用いて好適な、ご飯や副食物または汁物等の飲食物のこぼれおよびそれに伴う衣服等の汚れを確実に防止するためのエプロンを提供すること。【解決手段】防水加工が施された生地で形成されたエプロン本体と、肩掛け紐部を含んで成るエプロンであって、エプロン本体の一方および他方の下辺隅部に形成された第１および第２の切欠部と、エプロン本体の一方および他方の側辺に形成された中空状の内部を有する第１および第２の紐挿通部と、エプロン本体の下辺に形成された中空状の内部を有する第３の紐挿通部と、第１および第２の切欠部を通過しかつ第１、第２および第３の紐挿通部のそれぞれの中空状の内部を通した状態でエプロン本体にその両端が固定された凹陥部形成紐が設けられていることを特徴とするエプロン。【選択図】図１
0003131321.tif 000002
【実用新案登録請求の範囲】
【請求項１】
防水加工が施された生地で形成されたエプロン本体と、肩掛け紐部を含んで成るエプロンであって、該エプロン本体の一方および他方の下辺隅部に形成されな第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられていることを特徴とするエプロン。
【請求項２】
防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部が取り外し自在に設けられ、該第２と第３の紐挿通部間の該第２の切欠部を通過する該凹陥部形成紐上には第２のテーブル係止部が取り外し自在に設けられていることを特徴とするエプロン。
【請求項３】
防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部がが固定され、該第２と第３の紐挿通部間の該第２の切欠部を通過する該凹陥部形成紐上には第２のテーブル係止部が固定されていることを特徴とするエプロン。
【請求項４】
前記凹陥部形成紐は、その略中間部が前記第３の紐挿通部の中央近傍で固定されていることを特徴とする請求項１乃至請求項３に記載のエプロン。
【考案の詳細な説明】
【技術分野】
【０００１】  本考案は、身体に装着して水仕事や飲食時における衣服や身体の汚れを防止するためのエプロンに関し、更に詳しく述べるならば、高齢者や身体障害者等の被介護者または幼児や子供の飲食時の際に用いて好適な、ご飯や副食物または汁物等の飲食物のこぼれおよびそれに伴う衣服等の汚れを防止するためのエプロンに関する。
【背景技術】
【０００２】  従来、老人ホーム等の介護施設や身体障害者の養護施設、または病院および一般家庭等においては、介護を要する高齢者や身体障害者等が食事等をする際には、介護福祉士やホームヘルパー、その他の介護者は、家庭等で通常用いられている全体の表面が平坦なエプロンを衣服の上から胸部や腰部に巻きつけるようにして被介護者の身体に装着し、食事用のテーブルを前にして椅子に腰を降ろした状態で、テーブル上の食事を摂らせるようにし、その際、膝上から腹部、胸部の飲食物による着衣の汚れを防止するように配慮している。【０００３】  しかし、従来のように家庭等で用いられている通常の全体の表面が平坦なエプロンを被介護者の胸部や腰部に巻きつけるように着せて飲食物による着衣の汚れを防止しようとしても、被介護者は健常者と異なり動作や身体能力が不十分であるため、飲食物例えばご飯やおかず、水や味噌汁等をこぼしたり、テーブルや床に落下させたり、飛散させることが多く、その量も健常者に比較し極めて多くなる。例えば、通常用いられている表面が平坦なエプロンを着用した場合、飲食物をこぼすと、先ずご飯やおかずまたは汁物が膝上やテーブルに落ち、それが膝上やテーブルから膝の前面または側面に沿って流れ落ち、最終的に上着やズボン等の衣服を汚すとともに、床面に落下させて床周りや敷物を汚染する。このため、介護者は毎回食事後の掃除や、衣服やエプロンの洗濯等にも多くの時間を要していた。
このように、被介護者等に従来から通常用いられている表面が平坦なエプロンを着用させて飲食時使用した場合には、確実に飲食物による衣服の汚染や床の汚れを防止することは困難であった。【０００４】  一方、このような問題点を防止することを念頭に、こぼれた飲食物を収容するために、例えば収容入口が丸く穴があいた形の袋状の収容構造物を、通常のエプロンの前部に予め固定しておくことも考えられる。しかしこのような方法や手段では、収容入口が常時穴が空いた輪状に保たれるように、その入口が変形しにくい材質で輪状の形に形成しておかなければならないため、被介護者の飲食行為にに伴う顔や手等の身体の操作性や、介護者の介護の作業性の妨げになるばかりでなく、予め固定された袋状の収容構造物ではエプロンが汚れた場合にはその除去や洗濯等もやり憎いというマイナス面が多くなる。更に、このような構造ではエプロンを折りたたんで収納する際も厄介でありその作業性も悪くなり、反って多くの不具合が生じる。
【考案の開示】
【考案が解決しようとする課題】
【０００５】  したがって、本考案の課題は、従来から用いられてきた、全体の表面が一様に平坦な形状となるエプロンの構造では、飲食時に被介護者に着用した際には確実に飲食物による衣服の汚染や床の汚れを防止することは困難であるという問題点を解決するためになされたもので、被介護者が飲食時に着用した場合には、確実に飲食物による汚染から衣服や床面を保護し、飲食時以外の例えば手作業等何らかの作業時に着用した場合には、通常使用時と同じように作業性の良いエプロンとして使用することができるという、１枚のエプロンで飲食時に使用する場合とそれ以外に使用する場合に兼用でき、シンプルな構造で容易にかつ安価に製作できる、高齢者や身体障害者等の被介護者に着用して好適で、かつ幼児や子供用としても適用できるエプロンを提供することにある。
【課題を解決するための手段】
【０００６】  上記の課題を解決するために本考案は、飲食時やそれ以外の使用時に着用する際は、エプロンの前表面の上部の両肩部から背面側に掛け渡されＸ字状に形成された平坦な肩掛け紐の間に、高齢者や身体障害者等の被介護者の頭部を挿入した状態で両肩に肩掛け紐を載置することで容易に着用させることができるとともに、飲食時に着用したときの使用状態では、エプロン本体の下辺隅部に形成された両切欠部と、エプロン本体の両側辺および下辺に形成された中空状の内部を有する紐挿通部と、両切欠部を通過しかつ各紐挿通部のそれぞれの中空状の内部を通した状態でエプロン本体にその両端が固定された凹陥部形成紐が設けられた構造となっており、使用のためその両切欠部を通過する凹陥部形成紐がその両切欠部でそれぞれ引出された状態になると、エプロン前表面の下部全体に、テーブルからこぼれた飲食物を収容する凹陥部を形成するように構成して飲食物のこぼれによる汚染から衣服や床面を保護し、かつ飲食時以外に使用する場合の使用状態では、その両切欠部を通過する凹陥部形成紐が引出されない状態であるため、通常と同様に身体に巻きついた状態で表面形状が全体に平坦となり、更にエプロン全体を広げた不使用状態でも、その表面形状が全体に平坦でシンプルに形成してあるので、折りたたみ収納が簡易であるなど、各課題を解決した。また、その切欠部を通過する凹陥部形成紐に例えば取外し自在にまたは固定的に形成されたテーブル係止部を予め設けておくように構成すればエプロン本体のテーブルへの保持や固定作業も簡単であるという利点を有する。【０００７】  すなわち、本考案は以下に示すエプロンを提供するものである。
１．防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられていることを特徴とするエプロン。【０００８】２．防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部が取り外し自在に設けられ、該第２と第３の紐挿通部間の該第２の切欠部を通過する該凹陥部形成紐上には第２のテーブル係止部が取り外し自在に設けられていることを特徴とするエプロン。【０００９】３．防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部が固定され、該第２と第３の紐挿通部間の該第２の切欠部を通過する該凹陥部形成紐上には第２のテーブル係止部が固定されていることを特徴とするエプロン。
４．前記凹陥部形成紐は、その略中間部が前記第３の紐挿通部の略中央部またはその近傍で固定されていることを特徴とする請求項１乃至請求項３に記載のエプロン。
【考案の効果】
【００１０】  以上説明したように、本考案のエプロンによれば、飲食時に着用した場合には、エプロン前表面の下部全体にテーブルからこぼれた飲食物を収容する凹陥部を形成するように構成して、確実に飲食物による汚染から衣服や床面を保護し、飲食時以外の例えば手作業等何らかの作業時に着用した場合には、その表面形状が全体に平坦でシンプルに形成されているので、作業性の良いエプロンとして使用することができるという、１枚のエプロンで飲食時に使用する場合とそれ以外に使用する場合に兼用できる優れた利点を有し、更に全体にシンプルな構造なので折りたたみ収納が簡易であるばかりでなく、容易にかつ安価に製作できるという利点がある。また、両切欠部を通過する凹陥部形成紐のそれぞれに、例えば取外し自在にまたは固定的に形成されたテーブル係止部を予め設けておくように構成すればエプロン本体のテーブルへの保持や固定作業も簡単であるという利点を有するので、高齢者や身体障害者等の被介護者用として好適である。
【発考案を実施するための最良の形態】
【００１１】  以下、本考案に係るエプロンの実施の形態を図面に基づいて説明する。
図１は、本考案の第１の実施形態に係るエプロンを示す正面から見た平面展開図である。図２は、図１の説明を補足するための部分詳細説明図である。図３は本考案のエプロンが身体に装着された状態を示す説明図で、（ａ）はその正面から見た状態を示す説明図、（ｂ）はその背面から見た状態を示す説明図である。図１、図２および図３において、１は本考案のエプロンで、全体形状を示しており、２はエプロン１を構成するエプロン本体、２１はその上辺、２１ａは上辺２１の一端、２１ｂは上辺２１の他端、２２ａは一方の側辺、２２ｂは一方の側辺２２ａの上部、２２ｃは一方の側辺２２ａの下部で、ここに第１の紐挿通部２２が形成される。２３ａは他方の側辺、２３ｂは一方の側辺２３ａの上部、２３ｃは他方の側辺２３ａの下部で、ここに第２の紐挿通部２３が形成される。２４ａは下辺、２４ｂは下辺２４ａの一端、２４ｃは下辺２４ａの他端、２４ｄは下辺２４ａの中央部である。２５は一方の腕挿通部、２６は他方の腕挿通部、２７は第１の切欠部、２８は第２の切欠部である。３はエプロン１を構成する肩掛け紐部で、３１は第１の肩掛け紐部、３２は第２の肩掛け紐部である。４は凹陥部形成紐で、４ａは一方の端部、４ｂは他方の端部、４ｃは略中央部である。Ａは一方の下辺隅部、Ｂは他方の下辺隅部である。
【００１２】  図１に示すように本考案のエプロン１の外形形状は、着用したときに身体の胸部に接触するエプロン本体２の上辺２１は水平方向に略直線状に裁断され、着用したときに身体の側面に接触するエプロン本体２の一方の側辺２２ａおよび他方の側辺２２ｂは、下方に向けて垂直方向にそれぞれ略直線状に裁断され、着用したときに膝下の周囲に展開するエプロン本体２の下辺２４ａは、水平方向に略直線状に裁断されている。
また、エプロン本体２の上辺２１の一端２１ａと他方の側辺２３ａの上部２３ｂ間には、通常家庭等で一般的に使用されているエプロンと同様に、両肩と両腕が挿通する一方の腕挿通部２５が形成され、上辺２１の一端２１ｂと一方の側辺２２ａの上部２２ｂ間には、他方の腕挿通部２６が形成され、食事やその他の作業をするのに好適なように半円弧状に裁断されている。
一方、エプロン本体２の一方の側辺２２ａの下部２２ｃと下辺２４ａの一端２４ｂ間に位置する一方の下辺隅部Ａには、略直線状の第１の切欠部２７が設けられ、他方の側辺２３ａの下部２３ｃと下辺２４ａの他端２４ｃ間に位置する他方の下辺隅部Ｂには、略直線状の第２の切欠部２８が設けられている。
【００１３】  また、エプロン本体２の上辺２１の一端２１ａと他方の側辺２３ａの上部２３ｂ間の背面側には、着用したときに支障のないように適度な長さを有する平坦な肩掛け紐部３の第１の肩掛け紐部３１が掛け渡され、その端部が上辺２１の一端２１ａと他方の側辺２３ａの上部２３ｂにそれぞれ縫い合わされている。また、上辺２１の他端２１ｂと一方の側辺２２ａの上部２２ｂ間の背面側には、第１の肩掛け紐部３１と同じ長さを有する平坦な第２の肩掛け紐部３２が掛け渡され、その端部が上辺２１の他端２１ｂと一方の側辺２２ａの上部２２ｂにそれぞれ縫い合わされ、背面側から見ると第１の肩掛け紐部３１と第２の肩掛け紐部３２とがＸ字状に配設された状態で固定されている。
そして身体に装着する場合には、背面側の第１の肩掛け紐部３１と第２の肩掛け紐部３２とでＸ字状に形成されたその上方と、エプロン本体２の上辺２１間に生じる空間部に被介護者の頭部を挿入するとともに、両肩と両腕が挿通する一方の腕挿通部２５と、他方の腕挿通部２６に両肩、両腕を入れることで、両肩に第１および第２の肩掛け紐３１および３２が載置された状態で容易に着用することができる。
【００１４】  次に、本考案のエプロン１が通常家庭等で一般的に使用されているエプロンのとは異なる優れた特徴を有する構造について図１および図２を用いて説明する。
一般的に通常のエプロンでは、裁断された周端は数ｃｍ（センチメートル）の縫い代を設けて折り込み、その周端全辺を縫製し、更に肩掛け紐を取り付けて完成となる。
本考案のエプロン１は、エプロン本体２の上辺２１の一端２１ａと他端２１ｂの間と、上辺２１の一端２１ａと一方の側辺２２ａの上部２２ｂの間および上辺２１の他端２１ｂと他方の側辺２３ａの上部２３ｂの間のそれぞれ周端は、約１ｃｍの縫い代を設けて鎖線で示すように裏面側に折り込み縫製されている。更に一方の側辺２２ａの下部２２ｃと下辺２４ａの一端２４ｂの間の位置の下辺隅部Ａに形成されている第１の切欠部２７の周端と、他方の側辺２３ａの下部２３ｃと下辺２４ａの他端２４ｃの間に位置する下辺隅部Ｂに形成されている第２の切欠部２５ｂの周端も、それぞれ同様に約１ｃｍの縫い代を設けて裏面側に折り込み縫製されている。
【００１５】  また、一方の側辺２２ａの上部２２ｂと下部２２ｃとの間および他方の側辺２３ａの上部２３ｂと下部２３ｃとの間は、約１．５〜２ｃｍの縫い代を設け、中空状の内部を有する形態で鎖線で示すように裏面側に折り込み縫製され、第１の紐挿通部２２および第２の紐挿通部２３を形成している。また、下辺２４ａの一端２４ｂと他端２４ｃとの間も同様に約１．５〜２ｃｍの縫い代を設け、中空状の内部を有する形態で裏面側に折り込み縫製され、第３の紐挿通部２４を形成している。
そして本考案のエプロン１では、飲食時に使用する場合の着用状態においては、エプロン前表面の下部全体に、口や手またはテーブルからこぼれた飲食物を収容するための凹陥部を形成するために凹陥部形成紐４が設けられる。凹陥部形成紐４は、この実施形態では、エプロン本体２と同材質のもので構成され、生地を折り曲げて帯状に形成され、縫い合わされた状態で幅約１ｃｍとして、全体が縫い代を含んで約１６０ｃｍの長さに縫製されている。この凹陥部形成紐４は、図２の部分詳細説明図でも明らかなように、その一方の端部４ａから中空状の第１の紐挿通部２２を構成する一方の側辺２２ａの上部２２ｂから挿入され、貫通して下部２２ｃから引き出される。そして一方の下辺隅部Ａに形成されている第１の切欠部２７では、図示のようにある程度の猶予を与えて丸く膨らみをもたせた状態で、次の中空状の第３の紐挿通部２４を構成する下辺２４ａの一端２４ｂに挿入されたのち貫通して他端２４ｃから引き出され、同様に他方の下辺隅部Ｂに形成されている第２の切欠部２８でも、図示のようにある程度の猶予を与えて丸く膨らみをもたせた状態で、更に次の中空状の第２の紐挿通部２３を構成する他方の側辺２３ａの下部２３ｃから挿入され、貫通して上部２３ｂから引き出されるように構成される。この状態で凹陥部形成紐４の一方の端部４ａは、他方の側辺２３ａの上部２３ｂの位置でエプロン本体２に縫い合わされ固定されるとともに、他方の端部４ｂは一方の側辺２２ａの上部２２ｂの位置でエプロン本体２に縫い合わされ固定される。
なお、凹陥部形成紐４は、この実施形態では帯状の紐として説明したが、棒状の紐でもよく、要は目的に合致した製作が容易で安価なものが良いことは当然のことである。
【００１６】  このようにして、本考案のエプロン１の全体が構成されるが、その製作上の形状、寸法等について、その一実施形態を説明する。
まず上辺２１と下辺２４ａ間の縦方向の長さｈ１は、７６ｃｍとし、一方の側辺２２ａと他方の側辺２３ａ間の横幅ｄ１も７６ｃｍとして製作した。上辺２１の一端２１ａと他端２１ｂ間の横幅ｄ２は２２ｃｍとし、上辺２１の一端２１ａと一方の側辺２２ａの上部２２ｂ間の長さｈ２および上辺２１の他端２１ｂと他方の側辺２３ａ上部２３ｂ間の長さｈ３はそれぞれ２６ｃｍとして製作した。そして、第１の腕挿通部２５および第２の腕挿通部２６は、その長さｈ２およびｈ３と相まって、両肩と両腕が挿通して動き易くかつ食事やその他の作業をするのに適切な半円弧状に裁断している。また、一方の下辺隅部Ａの一方の側辺２２ａの下部２２ｃと下辺２４ａの一端２４ｂ間の高さｈ４は１０ｃｍ、その横幅ｄ３も１０ｃｍとして正三角状に裁断され第１の切欠部２７を形成した。同様に他方の下辺隅部Ｂの他方の側辺２３ａの下部２３ｃと下辺２４ａの他端２４ｃ間の高さｈ５は、１０ｃｍ、その横幅ｄ４も１０ｃｍとして正三角状に裁断され第２の切欠部２８を形成した。また、エプロン本体２の上辺２１の一端２１ａと他方の側辺２３ａの上部２２ｂ間の背面側に掛け渡された肩掛け紐部３１および上辺２１の他端２１ｂと一方の側辺２２ａの上部２２ｂ間の背面側に掛け渡された肩掛け紐部３２のそれぞれの横幅ｄ５は、それぞれ縫い代をとって縫い上げられた状態で４ｃｍに形成し、その長さｈ６（図示を省略）は、縫い代を含んでそれぞれ７２ｃｍに形成した。凹陥部形成紐４は、生地を折り曲げて帯状に形成され、縫い合わされた状態で横幅ｄ６は約１ｃｍとし、全体の長さｈ７（図示を省略）が縫い代を含んで約１６０ｃｍの長さに縫製した。
なお、このように一実施形態における形状、寸法について説明したが、これに限定されるものではなく、これらの形状、寸法は、着用者の身体の体格（身長、胸囲、ウエスト等）や男女の差によって異なるものであり、Ｓ、Ｍ、Ｌ等サイズを考慮して製作されることは言うまでもない。
【００１７】  次に、本考案のエプロン１の実施形態に係る構成材料、材質について説明する。
本考案の目的の一つは、エプロン１を飲食時に着用する場合、確実に飲食物の口や手またはテーブルからのこぼれによる汚染から衣服や床面を保護することであり、そのためのエプロン本体２の材質は、水分をはじき、汚れもつきにくい防水加工、撥水加工を施した布地または合成樹脂製シート等が主な構成材料となる。
また、飲食時以外の例えば手作業等の何らかの作業時に着用した場合には、通常使用時と同じように作業性の良いエプロンとして使用することができるものが要求されるので、水分や汚れがつきにくいばかりでなく、かつ軽量で身体への装着が軽快にできる布地または合成樹脂製シート等が主な構成材料となる。
このような条件を満たすために本考案の一実施形態では、絹織物の生地の表面に防水加工を施した極めて薄い材質の布地を採用した。例えば羽二重に防水加工を施した布地は、一般に市販されており、薄くて軽いため持ち運びや折りたたみ収納が容易で、かつ防水性が高く、確実に飲食物のこぼれによる汚染を防止することができる。ただし、材質はこれに限定されるものではない。
なお、この実施形態では、本考案を構成するエプロン１の第１および第２の肩掛け紐部３１および３２は、エプロン本体２と同材質のものを用いたが、肩掛け紐部の機能上これに限定されるものではない。
一方、凹陥部形成紐４についても、この実施形態では、エプロン本体２と同材質のものを用いたが、これに限定されるものではない。
【００１８】  次に、図３に示す説明図に基づいて本考案のエプロン１を身体に装着された状態について説明する。（ａ）はその正面から見た状態を示す説明図、（ｂ）はその背面から見た状態を示す説明図である。
図３（ａ）において、着用者が起立した状態で肩掛け紐部３の第１の肩掛け紐部３１と第２の肩掛け紐部３２間に頭部を挿入すると、両肩に第１の肩掛け紐部３１と第２の肩掛け紐部３２が載置され、エプロン１が身体に装着して、図示のように防水加工が施されたエプロン本体２が身体の正面に廻りつくように保持される。この状態を背面側から見ると（ｂ）に示すように、第１の肩掛け紐部３１と第２の肩掛け紐部３２がＸ字状に掛け渡され、エプロン本体２が身体の背面側でも廻りつくようにして保持される。この状態でエプロン本体２の下方に着目すると、図３（ａ）および（ｂ）に図示するように、一方の下辺隅部Ａには第１の切欠部２７が形成され、他方の下辺隅部Ｂには第２の切欠部２８が形成され、一方の側辺２２ａに形成された第１の紐挿通部２２と、下辺２４に形成された第３の紐挿通部２４の間および他方の側辺２３ａに形成された第２の紐挿通部２３と、下辺２４に形成された第３の紐挿通部２４の間には、それぞれ凹陥部形成紐４が正面および背面から見える状態で配設されている。したがって、飲食時以外に使用する場合の使用状態では、図示のようにその第１、第２の切欠部２７、２８を通過する凹陥部形成紐４が引出されない状態であるため、通常と同様に身体に巻きついた状態で表面形状が全体に平坦となり、見た目にも水仕事等で使用する通常状態と違相感がなく、シンプルな構成となって被介護者が飲食時以外の例えば手作業時等の作業にあたって着用しても充分な活動が効率よくできる利便性がある。
【００１９】  次に、本考案のエプロン１を被介護者が飲食時に身体に装着された状態について説明する。
図４は本考案のエプロン１を飲食時において装着した状態を示す説明図で、（ａ）は着用者が食卓用テーブルに向かって椅子に座った状態を示す説明図、（ｂ）は（ａ）の部分説明図である。図１乃至図３と同一番号または符号は同一物を示す。５は包縛紐、６は食卓用テーブル、６ａ、６ｂは食卓用テーブルの脚部、７は椅子、８は凹陥部である。
いま図４（ａ）に示すように、飲食時に使用者が食卓用テーブル６に向かうようにその前に備えられている椅子７に腰をおろす。そして本考案のエプロン１を通常状態と同じように使用者に装着する。すなわち、第１および第２の肩掛け紐部３１および３２間に頭部を挿入すると、両肩に第１および第２の肩掛け紐部３１および３２が載置され、図示のようにエプロン１が身体に装着される。次いで第１、第２の切欠部２７、２８を通過する凹陥部形成紐４が引出され、図４（ｂ）に示すようにそれぞれ包縛紐５を絡ませて更に引き出されると、一方の側辺２２ａおよび他方の側辺２３ａに形成された第１の紐挿通部２２および第２の紐挿通部２３と、下辺２４ａに形成された第３の紐挿通部２４がそれぞれ縮減する方向に向かうので、結果として図４（ａ）に示すようにエプロン本体２の前表面の下部全体に、口や手またはテーブルからこぼれた飲食物を収容するための所定の深さを有する凹陥部８が形成される。したがって、高齢者や身体障害者等の被介護者が着用すれば、確実に飲食物による汚染から衣服や床面を保護できる。
【００２０】  また、包縛紐５は、図４（ｂ）に示すようにその端部は食卓用テーブル６の脚部６ａにずり落ちないようにしっかり包縛される。また食卓用テーブル６の下面の適切な位置に、予めＪ字状またはＬ字状の引っ掛けフック（図示を省略）をネジ込む方法等により設けておけば、凹陥部形成紐４を第１、第２の切欠部２７、２８の２個所で引出し、直接引っ掛けフックに引っ掛けることで容易に凹陥部８を形成させることができる。また、凹陥部形成紐４に絡ませた状態の所定の輪状の包縛紐５を用意することでも、単に引っ掛けフックに引っ掛けるのみで容易に凹陥部８を形成させることができるので便利である。更に、包縛紐５は凹陥部形成紐４からの取り外しも自由自在にできるので、汚れたエプロン１の洗濯や収納に極めて便利である。なお、包縛紐５の材質は特に限定されず、エプロン本体２と同じ材質のものでもよく、ビニール紐等でも良い。要はしっかり包縛できる効用のあるものであれば差し支えない。
【００２１】  また、以上の説明では、凹陥部形成紐４は、中空状の内部を有する第１の紐挿通部２２、中空状の内部を有する第３の紐挿通部２４、中空状の内部を有する第２の紐挿通部２３を貫通した状態で、その一方の端部４ａが他方の側辺２３ａの上部２３ｂの位置でエプロン本体２に縫い合わされ固定されるとともに、その他方の端部４ｂは一方の側辺２２ａの上部２２ｂの位置でエプロン本体２に縫い合わされ固定される実施形態について詳述してきた。そしてこの凹陥部形成紐４は、第１の切欠部２７および第２の切欠部２８では、図１乃至図４に明示されるように、それぞれある程度の猶予を与えて丸く膨らみをもたせた状態に形成され、その部分で引き出されて飲食時に着用した際にこぼれた飲食物を収容するための所定の深さを有する凹陥部８が形成されるようになっている。
ところで、この凹陥部形成紐４を第１の切欠部２７および第２の切欠部２８で引き出す場合、例えば第１の切欠部２７での引出し量が多くなると中間部で介在する中空状の内部を有する第３の紐挿通部２４は、引き出し量が少ない他方側、例えば第２の切欠部２８側に縮減されて移動してしまい、結果としてこぼれた飲食物を収容するための所定の深さを有する凹陥部８が狭くなったり偏ったりしてしまうことも考えられる。したがって、このような点を解決するために、図１に示すようにエプロン本体２の下辺２４ａに形成される第３の紐挿通部２４の中央部２４ｄまたはその近傍で、凹陥部形成紐４の略中央部４ｃと一緒にエプロン本体２に縫いこんで固定するように形成すれば、本考案の目的からして更に有効である。すなわち、このように形成すれば一方側の引き出し量が多くなっても、第３の紐挿通部２４の中央部２４ｄまたはその付近で固定されているので他方側に移動するなどの影響もなく、常時エプロン本体２の中央に左右のバランスが良い状態で凹陥部８を形成することができる。
【００２２】  次に、本考案の第２の実施形態を図面に基づいて説明する。
図５は本考案のエプロンを飲食時において装着した状態の第２の実施形態を示す説明図で、（ａ）は着用者が食卓用テーブルに向かって椅子に座った状態を示す説明図、（ｂ）は（ａ）の正面側から見た部分説明図である。図１乃至図４と同一番号または符号は同一物を示す。９はテーブル係止部である。
図５（ａ）では、第１の実施形態の図４（ａ）と同じく着用者が椅子に座った状態を示しており、何ら支障なくこぼれた飲食物を収容するための所定の深さを有する凹陥部８が形成されていることが明示されている。図５（ｂ）では、それを正面側から見た図であり、同様に何ら支障なく凹陥部８が形成されていることが理解できる。
図１乃至図４に示す第１の実施形態と異なる点は、第１、第２の切欠部２７、２８の２個所で引出す凹陥部形成紐４に、予め取り外し自在にテーブル係止部９を設けな点にある。
【００２３】  すなわち、テーブル係止部９は、図５（ａ）、（ｂ）に示すように、その一実施形態では、鰐口状のクリップから成る。鰐口状のクリップから成るテーブル係止部９は、図示のように食卓用テーブル６を挟持する機能を有し、包縛紐５に代えて凹陥部形成紐４にその一部を引っ掛けて引出し、食卓用テーブル６の上面板に鰐口部を開けて挟み込み、凹陥部８を形成する。したがって、包縛紐５を用いていちいち食卓用テーブル６の脚部等に包縛する作業を必要としないので、飲食時に簡単に凹陥部８を形成することができる利点がある。なお、この鰐口状のクリップは一般に安価に市販されているもので、一般家庭で洗濯物を干す際に使用される俗に言う洗濯バサミを利用することで実現できる。このように洗濯バサミといわれる鰐口状のクリップは凹陥部形成紐４からの取り外しも自由自在にできるので、汚れたエプロン１の洗濯や収納に極めて便利である。
【００２４】  次に、テーブル係止部９の一実施形態について図面を用いて更に詳細に説明する。
図６はテーブル係止部９の一実施形態である鰐口状のクリップ９１を示す部分説明図である。図１乃至図５と同一番号または符号は同一物を示す。９１ａは鰐口部、９１ｂは開閉操作部、９１ｃは押えばね、９１ｄは凹陥部形成紐収容部、９１ｅはすべり防止部材である。
鰐口状のクリップ９１を食卓用テーブル６へ取り付ける場合について説明すると、通常、鰐口状のクリップ９１は、図６に示されるような構造を有しており、１対で２個のアームから成る計４個のアームを備えた鰐口部９１ａは、押えばね９１ｃによってその４個のアームの先端は互いに閉じられている。開閉操作部９１ｂを押すと押えばね９１ｃの弾力に抗して鰐口部９１ａは４個のアームを開き鰐口状になる。この状態でまず凹陥部形成紐４を引出し、図示のように凹陥部形成紐収容部９１ｄに収容する。次いで食卓用テーブル６の上面板に、開いた４個のアームを挿入し、開閉操作部９１ｂを離すと、４個のアームはしっかりと上面板を挟持する。これによって凹陥部形成紐４が食卓用テーブル６に係着される。その結果エプロン本体２の前表面の下部全体に、口や手またはテーブルからこぼれた飲食物を収容するための所定の深さを有する凹陥部８が形成される。
【００２５】  また、鰐口状のクリップ９１の鰐口部９１ａは、４個のアームを有しているので、通常状態では食卓用テーブル６の上面板をしっかり挟持するが、本実施例では上面板の表面が水滴等により滑り易くなっている場合や、上面板の板の厚さが厚い場合でも、更に確実に上面板を挟持できるように、４個のアームの先端にすべり防止部材９１ｅを装着している。
すなわち、すべり防止部材９１ｅはアームの外径よりやや小径のパイプ状のゴム輪からなっており、それを適切な長さに切断して図示のように４個のアームに被着させている。このようにすると、ゴムに弾力性があるのでそれに伴い上面板に対するアームの摩擦力が増加し、鰐口部９１ａは更に強力に上面板を挟持することができる。
【００２６】  次に、本考案の第３の実施形態について図面に基づいて説明する。
図７は第３の実施形態を示す説明図で、（ａ）は一実施形態のテーブル係止部１０を凹陥部形成紐４に固定した状態の説明図、（ｂ）は他の実施形態のテーブル係止部１１を凹陥部形成紐４に固定した状態の説明図である。図１乃至図６と同一番号または符号は同一物を示す。１０は輪状のフック紐または食卓用テーブル６に包縛するための包縛紐を用いたテーブル係止部、１１は吸盤部材を用いたテーブル係止部である。
図７（ａ）に示すテーブル係止部１０は、図４の実施形態の例で説明したように、食卓用テーブル６の下面の適切な位置に、予めＪ字状またはＬ字状の引っ掛けフック（図示を省略）をネジ込む方法等により設けておいた場合に用いられる輪状のフック紐で、予め凹陥部形成紐４の適切な位置に縫い合わされ固定されている。このようにすれば、単にフック紐を引っ掛けフックに引っ掛けるのみでエプロン本体２の前表面の下部全体に、口や手または食卓用テーブル６からこぼれた飲食物を収容する凹陥部８を容易に形成させることができる。また、フック紐に代えて図４の実施例で説明したような、所定の長さを有する包縛紐（図示を省略）を予め凹陥部形成紐４の適切な位置に縫い合わせて固定し、その端部を食卓用テーブル６の脚部６ａに包縛して凹陥部８を形成するようにしても良い。
【００２７】  図７（ｂ）に示すテーブル係止部１１は、吸盤部材を用いたもので、予め凹陥部形成紐４の適切な位置に縫い合わされ固定されている。この吸盤部材を食卓用テーブル６の上面板に吸着させることにより、エプロン本体２の前表面の下部全体に、口や手または食卓用テーブル６からこぼれた飲食物を収容する凹陥部８を容易に形成することができる。
このように第３の実施形態は、予め凹陥部形成紐４の適切な位置にテーブル係止部が固定されているので、改めて別に部材を用意する必要がないので使用に際して効率的であるばかりでなく、第１の実施形態および第２の実施形態と同様に、何ら問題なく凹陥部８を形成することができ、口や手またはテーブルからこぼれた飲食物を収容することができる。また、被介護者が飲食時以外に使用する場合の例えば手仕事等を行う場合などの使用状態では、その第１、第２の切欠部２７、２８を通過する凹陥部形成紐４が引出されない状態であり、その状態でテーブル係止部１０、１１が凹陥部形成紐４に固定されていても、通常と同様に身体に巻きついた状態で表面形状が全体に平坦であり、見た目にも水仕事等で使用する通常状態と違和感がなく、シンプルな構成となっており、着用しても充分な活動が効率よくできる。また、汚れたエプロン１の洗濯や収納も何ら問題なく、前述した従来からの課題を解決することができる。
【００２８】  以上説明したように、本考案によるエプロン１は、第１の実施形態によれば、飲食時に着用したときの使用状態では、エプロン本体２の一方および他方の下辺隅部ＡおよびＢに形成された第１および第２の切欠部２７および２８と、エプロン本体２の一方および他方の側辺２２ａおよび２３ａに形成された中空状の内部を有する第１および第２の紐挿通部２２および２３と、下辺２４ａに形成された中空状の内部を有する第３の紐挿通部２４と、それらの紐挿通部２２、２３、２４の中空状の内部を挿通した状態で凹陥部形成紐４が設けられ、その凹陥部形成紐４の一方の端部４ａおよび他方の端部４ｂがそれぞれエプロン本体２に固定された構造となっており、使用のためその第１および第２の切欠部２７および２８を通過する凹陥部形成紐４が引出された状態になると、エプロン本体２の前表面の下部全体に、口や手または食卓用テーブル６からこぼれた飲食物を収容する凹陥部８を形成するように構成し、かつ飲食時以外で使用する場合の使用状態では、その第１および第２の切欠部２７、２８を通過する凹陥部形成紐４が引出されない状態であるため、身体に巻きついた状態でエプロン１の表面形状が全体に平坦となり、更にエプロン１全体を広げた不使用状態でも、その表面形状が全体に平坦でシンプルに形成したので、１枚のエプロンで飲食時に使用する場合とそれ以外に使用する場合で兼用できるという優れな利点を有し、更に全体にシンプルな構造で容易にかつ安価に製作でき、高齢者や身体障害者等の被介護者に着用して好適である。
【００２９】  また、第２の実施形態によれば、その第１および第２の切欠部２７、２８を通過する凹陥部形成紐４に取外し自在に形成されたテーブル係止部９を予め設けておき、そのテーブル係止部９を引き出すことにより、エプロン本体２の前表面の下部全体に、口や手または食卓用テーブル６からこぼれた飲食物を収容する凹陥部８を形成するように構成したので、改めて別にテーブルへの取り付け部材を用意する必要がないので、使用の際のテーブルへの保持や固定作業の効率を向上させたばかりでなく、第１の実施形態と同様な利点を有する。
また、第３の実施形態によれば、その第１および第２の切欠部２７、２８を通過する凹陥部形成紐４にテーブル係止部１０または１１を予め縫製等により固着しておき、そのテーブル係止部１０または１１を引き出すことにより、エプロン本体２の前表面の下部全体に、口や手または食卓用テーブル６からこぼれた飲食物を収容する凹陥部８を形成するように構成したので、改めて別にテーブルへの取り付け部材を用意する必要がないので、更に使用の際のテーブルへの保持や固定作業の効率を向上させたばかりでなく、第１、第２の実施形態と同様な利点を有する。
【００３０】  また、本考案の実施形態によれば、凹陥部８に収納された口や手または食卓用テーブル６からこぼれた飲食物は、介護者がその状態から収拾したり、除去したり、更には拭き掃除をしたりする後始末も簡単にできるとともに、エプロン１の脱着も容易にできるので洗濯等もやり易いと言う利点がある。
なお、本考案は、以上の実施形態の例に特定されるものではなく、その目的、課題を解決し得る形態であれば、その一部を変更することができる。
また、本考案は高齢者や身体障害者等の被介護者ばかりでなく、サイズを小さくして幼児や小さな子供用にも適用できることはいうまでもない。
【図面の簡単な説明】
【００３１】
【図１】本考案の第１の実施形態に係るエプロンを示す正面から見た平面展開図である。
【図２】本考案の図１の説明を補足するための部分詳細説明図である。
【図３】本考案のエプロンが身体に装着された状態を示す説明図で、（ａ）はその正面から見た状態を示す説明図、（ｂ）はその背面から見た状態を示す説明図である。
【図４】本考案のエプロンを飲食時において装着した状態を示す説明図で、（ａ）は着用者が食卓用テーブルに向かって椅子に座った状態を示す説明図、（ｂ）は（ａ）の部分説明図である。
【図５】本考案のエプロンを飲食時において装着した状態の第２の実施形態を示す説明図で、（ａ）は着用者が食卓用テーブルに向かって椅子に座った状態を示す説明図、（ｂ）は（ａ）の正面側から見た部分説明図である。
【図６】本考案のテーブル係止部９の一実施形態である鰐口状のクリップ９１を示す部分説明図である。
【図７】本考案の第３の実施形態を示す説明図で、（ａ）は一実施例のテーブル係止部１０を凹陥部形成紐４に固定した状態の説明図、（ｂ）は他の実施例のテーブル係止部１１を凹陥部形成紐４に固定した状態の説明図である。
【符号の説明】
【００３２】１  エプロン
２  エプロン本体
２１  上辺
２１ａ  上辺の一端
２１ｂ  上辺の他端
２２  第１の紐挿通部
２２ａ  一方の側辺
２２ｂ  一方の側辺２２ａの上部
２２ｃ  一方の側辺２２ａの下部
２３  第２の紐挿通部
２３ａ  他方の側辺
２３ｂ  他方の側辺２３ａの上部
２３ｃ  他方の側辺２３ａの下部
２４  第３の紐挿通部
２４ａ  下辺
２４ｂ  下辺２４ａの一端
２４ｃ  下辺２４ａの他端
２４ｄ  下辺２４ａの中央部
２５  一方の腕挿通部
２６  他方の腕挿通部
２７  第１の切欠部
２８  第２の切欠部
３  肩掛け紐部
３１  第１の肩掛け紐部
３２  第２の肩掛け紐部
４  凹陥部形成紐
４ａ  一方の端部
４ｂ  他方の端部
４ｃ  略中央部
５  包縛紐
６  食卓用テーブル
６ａ、６ｂ  食卓用テーブルの脚部
７  椅子
８  凹陥部
９  テーブル係止部
９１  鰐口状のクリップ
９１ａ  鰐口部
９１ｂ  開閉操作部
９１ｃ  押えばね
９１ｄ  凹陥部形成紐収容部
９１ｅ  すべり防止部材
１０、１１  テーブル係止部
【図１】
0003131321.tif 000003
【図２】
0003131321.tif 000004
【図３】
0003131321.tif 000005
【図４】
0003131321.tif 000006
【図５】
0003131321.tif 000007
【図６】
0003131321.tif 000008
【図７】
0003131321.tif 000009
【手続補正書】
【提出日】平成19年1月29日(2007.1.29)
【手続補正１】
【補正対象書類名】実用新案登録請求の範囲
【補正対象項目名】請求項４
【補正方法】変更
【補正の内容】
【請求項４】
前記凹陥部形成紐は、その略中間部が前記第３の紐挿通部の中央部またはその近傍で固定されていることを特徴とする請求項１〜３のいずれか１項に記載のエプロン。
【手続補正２】
【補正対象書類名】実用新案登録請求の範囲
【補正対象項目名】請求項３
【補正方法】変更
【補正の内容】
【請求項３】
防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部が固定され、該第２と第３の紐挿通部間の該第２の切欠部を通過する該凹陥部形成紐上には第２のテーブル係止部が固定されていることを特徴とするエプロン。
【手続補正３】
【補正対象書類名】明細書
【補正対象項目名】０００９
【補正方法】変更
【補正の内容】
【０００９】３．防水加工が施された生地で形成されたエプロン本体と、肩掛け紐部を含んで成るエプロンであって、該エプロン本体の一方および他方の下辺隅部に形成された第１および第２の切欠部と、該エプロン本体の一方および他方の側辺に形成された中空状の内部を有する第１および第２の紐挿通部と、該エプロン本体の下辺に形成された中空状の内部を有する第３の紐挿通部と、該第１および第２の切欠部を通過しかつ該第１、第２および第３の紐挿通部のそれぞれの中空状の内部を通した状態でエプロン本体にその両端が固定された凹陥部形成紐が設けられ、更に該第１と第３の紐挿通部間の該第１の切欠部を通過する該凹陥部形成紐上には第１のテーブル係止部が固定され、該第２と第３の紐挿通部間の該第２の切欠部を通過する該凹陥部形成紐上には第２のテーブル係止部が固定されていることを特徴とするエプロン。
４．前記凹陥部形成紐は、その略中間部が前記第３の紐挿通部の中央部またはその近傍で固定されていることを特徴とする請求項１〜３のいずれか１項に記載のエプロン。